(57)【要約】【課題】足先を所望の角度で上方に向かせ、つまずきや転倒を確実に防止して、軽快に歩行させる足サポータを提供する。【解決手段】表面の全面に第１面状ファスナー部１０を有し、裏面の端部に第１面状ファスナー部１０に係止可能な第２面状ファスナー部を有し、足首Ｋに巻設される帯状の首ベルト１と、第１面状ファスナー部１０に係止可能な第３面状ファスナー部を内面の両端に有する引上部材２と、を具備し、引上部材２は、内面を足先Ｓの裏側に当接させると共に足の甲の上方位置で交差し、一方の第３面状ファスナー部と他方の第３面状ファスナー部とを足首ベルト１の第１面状ファスナー部１０に係止させて、足先Ｓを足首Ｋ側へ引き寄せて上方へ向かせるものである。【選択図】図５
0003149831.tif 000002
【実用新案登録請求の範囲】
【請求項１】
表面（１ａ）の全面に第１面状ファスナー部（１０）を有し、裏面（１ｂ）の端部に該第１面状ファスナー部（１０）に係止可能な第２面状ファスナー部（１１）を有し、足首（Ｋ）に巻設される帯状の足首ベルト（１）と、
上記第１面状ファスナー部（１０）に係止可能な第３面状ファスナー部（２１）（２１）を内面（２ｂ）の両端に有する弾性帯状の引上部材（２）と、を具備し、
上記引上部材（２）は、上記内面（２ｂ）を足先（Ｓ）の裏側に当接させると共に足の甲の上方位置で交差し、一方の上記第３面状ファスナー部（２１）と他方の上記第３面状ファスナー部（２１）とを上記足首ベルト（１）の上記第１面状ファスナー部（１０）に係止させて、上記足先（Ｓ）を上記足首（Ｋ）側へ引き寄せて上方へ向かせることを特徴とする足サポータ。
【請求項２】
上記引上部材（２）は、上記内面（２ｂ）に、足の親指（Ｓａ）を差込む紐状の鼻尾（２２）と、装着状態にて足の小指（Ｓｅ）近傍に配設される滑止部（２３）と、を設けた請求項１記載の足サポータ。
【請求項３】
表面（１ａ）の全面に第１面状ファスナー部（１０）を有し、裏面（１ｂ）の端部に該第１面状ファスナー部（１０）に係止可能な第２面状ファスナー部（１１）を有し、足首（Ｋ）に巻設される帯状の足首ベルト（１）を備え、
さらに、足先（Ｓ）が収納される先端袋体（２５）と、上記第１面状ファスナー部（１０）に係止可能な第３面状ファスナー部（２１）を一方端に有すると共に他方端が上記先端袋体（２５）に取着された一対の弾性帯状のベルト体（２０）（２０）と、を備えた引上部材（２）を具備し、
上記引上部材（２）は、上記先端袋体（２５）に上記足先（Ｓ）を収納させると共に一対の上記ベルト体（２０）（２０）を足の甲の上方位置で交差し、一方の上記第３面状ファスナー部（２１）と他方の上記第３面状ファスナー部（２１）とを上記足首ベルト（１）の上記第１面状ファスナー部（１０）に係止させて、上記足先（Ｓ）を上記足首（Ｋ）側へ引き寄せて上方へ向かせることを特徴とする足サポータ。
【考案の詳細な説明】
【技術分野】
【０００１】
本考案は、足サポータに関する。
【背景技術】
【０００２】
従来、お年寄り等が転倒骨折される主な原因は足先のつまずきによるものであった。本人が足先を上げて歩行しているつもりでも、平坦な道で足先がつまずく程、老化により無意識に足先が除々に垂れ下がっているためである。そこで、特許文献１記載のような足首の捻挫や肉離れ等の治療用の足関節サポータを用いて足先の垂れを軽減させていた。
【先行技術文献】
【特許文献】
【０００３】
【特許文献１】特許第３９９０４９４号公報
【考案の概要】
【考案が解決しようとする課題】
【０００４】
解決しようとする課題は、従来のサポータは足首関節の固定を目的とし、足先の垂れを規制するものではないため確実につまずきや転倒を防止できないという点、また、捻挫や肉離れ等の負傷ではないのにも関わらず足首関節を固定するため圧迫力が強く歩行の妨げになり、軽快な歩行が困難になってしまうという点である。
【０００５】
本考案は、足先を所望の角度で上方に向かせ、つまずきや転倒を確実に防止して、軽快に歩行させる足サポータの提供を目的とする。
【課題を解決するための手段】
【０００６】
そこで、上記課題を解決するために、本考案に係る足サポータは、表面の全面に第１面状ファスナー部を有し、裏面の端部に該第１面状ファスナー部に係止可能な第２面状ファスナー部を有し、足首に巻設される帯状の足首ベルトと、上記第１面状ファスナー部に係止可能な第３面状ファスナー部を内面の両端に有する弾性帯状の引上部材と、を具備し、上記引上部材は、上記内面を足先の裏側に当接させると共に足の甲の上方位置で交差し、一方の上記第３面状ファスナー部と他方の上記第３面状ファスナー部とを上記足首ベルトの上記第１面状ファスナー部に係止させて、上記足先を上記足首側へ引き寄せて上方へ向かせるものである。
【０００７】
また、上記引上部材の上記内面に、足の親指を差込む紐状の鼻緒と、装着状態にて足の小指近傍に配設される滑止部と、を設けたものである。
【０００８】
表面の全面に第１面状ファスナー部を有し、裏面の端部に該第１面状ファスナー部に係止可能な第２面状ファスナー部を有し、足首に巻設される帯状の足首ベルトを備え、さらに、足先が収納される先端袋体と、上記第１面状ファスナー部に係止可能な第３面状ファスナー部を一方端に有すると共に他方端が上記先端袋体に取着された一対の弾性帯状のベルト体と、を備えた引上部材を具備し、上記引上部材は、上記先端袋体に上記足先を収納させると共に一対の上記ベルト体を足の甲の上方位置で交差し、一方の上記第３面状ファスナー部と他方の上記第３面状ファスナー部とを上記足首ベルトの上記第１面状ファスナー部に係止させて、上記足先を上記足首側へ引き寄せて上方へ向かせるものである。
【考案の効果】
【０００９】
本考案の足サポータによれば、足先の垂れを引き上げて、つまずきや転倒の危険を防止できる。引上部材の第３面状ファスナー部を足首ベルトの自由な位置に係止でき、足先の引上げ角度や高さを容易に調整できる。足先が上がり歩幅が広くなって軽快に歩行できる。
【図面の簡単な説明】
【００１０】
【図１】足首ベルトの説明図である。
【図２】引上部材の一例を示す平面図である。
【図３】装着準備状態の斜視図である。
【図４】作用説明図である。
【図５】装着状態の斜視図である。
【図６】装着状態の斜視図である。
【図７】作用説明図である。
【図８】作用説明図である。
【図９】引上部材の別の一例を示す説明図である。
【考案を実施するための形態】
【００１１】
以下、本考案の実施の形態について詳説する。
本考案の第１の実施の形態は、図１に示すように、表面１ａの全面に、第１面状ファスナー部１０を有すると共に、裏面１ｂの一方の端部に第１面状ファスナー部１０に係止可能な第２面状ファスナー部１１を有する足首ベルト１を備えている。第２面状ファスナー部１１は、第１面状ファスナー部１０に係止可能な面状ファスナー片を裏面１ｂに縫着して設けている。
【００１２】
図３に示すように、足首ベルト１は、人の足首Ｋを包囲して第２面状ファスナー部１１を第１面状ファスナー部１０に係止させることで、足首Ｋに巻着するものである。なお、本考案に於て、「足首」とは、下腿部の下部で細くなっているくるぶしの上の所を言う。また、「足首関節」とは、くるぶし近傍の関節を言う。「足先」とは、爪先から足の指の付根部近傍を言う。
【００１３】
足首ベルト１は、幅寸法が略１０ｃｍ、長さ寸法が略３０ｃｍの帯状に形成されている。材質は、ポリウレタンゴム入りの伸縮性のあるナイロン製織物が望ましいが、梅雨時期や夏用として、ゴム入りでなく通気性が良好で僅かに伸縮性のある繊維を使用するも好ましい。また、裏面１ｂ側を、通気性が良くて肌触りの良い柔軟（ソフト）な繊維で形成した布生地とするも好ましい。また、蒸れを防止するように柔軟な布生地を少し厚めに設定するも好ましい。
【００１４】
そして、図２及び図３に示すように、弾性帯状のベルト体２０を有する引上部材２を備えている。引上部材２は、第１面状ファスナー部１０に係止可能な第３面状ファスナー部２１，２１を、内面２ｂ（ベルト体２０の内側面２０ｂでもある面）の両端に有している。
第３面状ファスナー部２１，２１は、第１面状ファスナー部１０に係止可能な面状ファスナー片を縫着することで形成している。引上部材２のベルト体２０は足首ベルト１よりも幅寸法を小さく、略５ｃｍに設定している。また、長さ寸法は、足首ベルト１よりも長く、略４０ｃｍ〜６０ｃｍに設定している。材質としては、弾性（伸縮性）のあるポリウレタンゴム入りのナイロン製織物が望ましい。
【００１５】
図２乃至図４に示すように、引上部材２には、足の親指Ｓａを差し込む紐状の鼻緒２２が設けられている。鼻緒２２は、所定長さの紐状部材２２ａの両端を内面２ｂに縫着して形成している。紐状部材２２ａの長手方向を引上部材２の長手方向と一致させて取着して形成している。紐状部材２２ａと内面２ｂによって形成された足の親指Ｓａの差込孔空間部２２Ａが、引上部材２の中心線Ｌから一方の端部側寄りに形成されるように設けている。即ち、鼻緒２２に足の親指Ｓａを差込むと、足の中心又は足の中指Ｓｃが、中心線Ｌ上の位置に配設されるように設けている。
【００１６】
さらに、内面２ｂかつ中心線Ｌよりも他方の端部側寄りに、滑止部２３を設けている。滑止部２３は、鼻緒２２に足の親指Ｓａが差し込まれた装着準備状態で、足の小指Ｓｅの付根部の近傍となる位置に配設され、薄いシート状のゴム（弾性部材）を貼着、又は、ゴム（弾性樹脂）を塗布して、又は、ゴム製の糸乃至紐状部材を織り込んで、撓み等の変形に柔軟に対応しつつ摩擦力を高めるように設けている。
【００１７】
上述した第１の実施の形態の使用法（作用）について説明する。
図３に示すように、足首ベルト１を足首Ｋに軽く巻設する。なお、第１面状ファスナー部１０に第２面状ファスナー部１１を係止させて合わせ部を前方となるように巻設するのが好ましいが、第１面状ファスナー部１０を表面１ａの全面に設けているので合わせ部を使用者の所望位置にするも自由である。
【００１８】
次に、足先の裏側を内面２ｂに当接させて鼻緒２２に親指Ｓａを差込む。すると、中指Ｓｃが引上部材２の略中心位置に配設される。また、小指Ｓｅの付根部の裏側が滑止部２３上に配設される。即ち、鼻緒２２によって、装着するのに適切な所定位置に足が配設される。適切な所定位置とは、内面２ｂと、足裏の爪先から足裏の指の付根部近傍（拇趾球部及び小趾球部）と、が当接する位置である。
【００１９】
図４に示すように、引上部材２を内側に折曲げて足の甲の上方位置で交差させる。鼻緒２２が親指Ｓａと人差指Ｓｂの間に差し込まれると共に、滑止部２３は小指Ｓｅ近傍（裏面、側面、甲側面等）に当接して、引上部材２は適切な位置が保持される。
【００２０】
図５及び図６に示すように、足の甲の上方位置でＸ字状の交差部を形成して、一方及び他方の第３面状ファスナー部２１を軽く引いて第１面状ファスナー部１０に係止させ装着する。ここで、引上部材２によって、小指Ｓｅの先端部側に圧迫感等を感じる場合は、引上部材２を小指Ｓｅの付根部側に移動させて装着するも良い。移動させた後は、引上部材２は、滑止部２３によって、小指Ｓｅの先端部側や土踏まず側へ不用意に移動することなく、足裏の爪先から足裏の指の付根部近傍に当接した適切な状態を保持する。
【００２１】
図７に示すように、装着状態では、足先Ｓを足首Ｋ側へ引き寄せて足先Ｓ（特に爪先）を上方へ向かせる。第３面状ファスナー部２１を足首ベルト１に係止させる位置を変化させることで、足の接地面から足先Ｓまでの高さ寸法Ｈや、足の裏面と足首との間の足首角度θの調整が可能である。つまり、引上部材２を足首ベルト１の上端側によせて係止させると、足先Ｓはより上方に向く。足首角度θを９０度から略８０度の範囲で設定可能である。また、引上部材２を交差させることで足先Ｓが無意識に左右へ振れるのを抑制する。
【００２２】
図８に於て、二点鎖線で示したように、老化等により無意識に垂れ下がって、床や地面等につまずく危険があった足先Ｓ′を、実線で示した足先Ｓのように、爪先を上方に向かせ、踏み込み側の足をかかとから確実に着地させる。また、蹴り足側の足先Ｓを地面や床等から確実に離間させる。
【００２３】
次に、第２の実施の形態について説明する。
第２の実施の形態は、上述した足首ベルト１を備えている。そして、図９に示すように、足先Ｓが収納される先端袋体２５と、足首ベルト１の第１面状ファスナー部１０に係止可能な第３面状ファスナー部２１を内側面２０ｂの一方端に有すると共に内側面２０ｂの他方端が先端袋体２５に取着された一対の弾性帯状のベルト体２０，２０と、を備えた引上部材２を具備している。ベルト体２０の材質としては、弾性（伸縮性）のあるポリウレタンゴム入りのナイロン製織物が望ましい。
【００２４】
先端袋体２５は、足の親指Ｓａが収納される第１収納部２５ａと、残りの足の指が収納される第２収納部２５ｂと、を有している。また、足の指の付根部が収納される第３収納部２５ｃを有している。つまり、二又足袋（靴下）の先端部のように形成されている。上面２５ｄに２本のベルト体２０，２０の各他方端が縫着されている。
【００２５】
第２の実施の形態は、先端袋体２５に足先Ｓを収納し、一対のベルト体２０，２０を足の甲の上方位置で交差させて、一方の第３面状ファスナー部２１と他方の第３面状ファスナー部２１とを足首ベルト１の第１面状ファスナー部１０に係止させる。すると、一対の上記ベルト体２０，２０が先端袋体２５を足首Ｋ側へ引き寄せる。即ち、引上部材２は、先端袋体２５に収納された足先Ｓを足首Ｋ側へ引き寄せて上方へ向かせる。
【００２６】
第１の実施の形態と同様に、第３面状ファスナー部２１を足首ベルト１に係止させる位置を変化させることで、足先Ｓの高さ寸法Ｈや、足の裏面と足首との間の足首角度θの調整を可能とし、老化等により無意識に垂れ下がった足先Ｓを上方に向かせ、床や地面につまずくのを防止する。また、足先Ｓ全体を包囲して保温効果を得ることができる。
【００２７】
なお、本考案は、設計変更可能であって、例えば、先端袋体２５としては、足の指５本を個別に収納可能な５本指靴下の先端部のように形成しても良い。先端袋体２５の下面や側面にベルト体２０を取着しても良い。
【００２８】
以上のように、本考案は、表面１ａの全面に第１面状ファスナー部１０を有し、裏面１ｂの端部に第１面状ファスナー部１０に係止可能な第２面状ファスナー部１１を有し、足首Ｋに巻設される帯状の足首ベルト１と、第１面状ファスナー部１０に係止可能な第３面状ファスナー部２１，２１を内面２ｂの両端に有する弾性帯状の引上部材２と、を具備し、引上部材２は、内面２ｂを足先Ｓの裏側に当接させると共に足の甲の上方位置で交差し、一方の第３面状ファスナー部２１と他方の第３面状ファスナー部２１とを足首ベルト１の第１面状ファスナー部１０に係止させて、足先Ｓを上記足首Ｋ側へ引き寄せて上方へ向かせるので、足先Ｓの垂れを引き上げて、つまずきや転倒の危険を防止できる。足首ベルト１及び引上部材２が帯状であるので装着状態が嵩張ることがなく靴下や靴を履くことができる。足首ベルト１に引上部材２を所望の位置に係止させ足首角度θや足先の高さ寸法Ｈを自由に調整できる。足首ベルト１は、引上部材２を係止するためであり、従来の捻挫等の治療用足関節サポータのように、強く圧迫させるように足首関節近傍に巻設する必要はなく、装着による違和感を与えず使用者を軽快に歩行させる。足先Ｓが上がり歩幅が広くなって軽快に歩行できる。従来の治療用足関節サポータは足首関節を９０度に保持するものであり、９０度よりもさらに上方を向かせることができなかった。そのため、足先Ｓがつまずく虞れや、足の裏面が水平状となって、昇り階段の角部近傍で突き指する虞れがあった。しかし、本考案のように９０度よりも足先Ｓが上方に向いた状態に調整でき、足の裏面から階段の角部近傍に接近させて、爪先の衝突による突き指等を防止できる。また、足先Ｓが無意識に左右に振れるのや下方へ垂れ下がるのを規制するが、引上部材２が弾性を有しているので、使用者が意識すれば自由に足先を動かすことができる。
【００２９】
また、引上部材２は、内面２ｂに、足の親指Ｓａを差し込む紐状の鼻緒２２と、装着状態にて足の小指Ｓｅ近傍に配設される滑止部２３と、を設けたので、足の親指Ｓａを鼻緒２２に差込むことで、足先の裏側を、引上部材２を装着するのに適切な所定位置に容易かつ確実に配設できる。引上部材２を足首Ｋ方向に引っ張っても鼻緒２２により位置ズレを防止できる。装着した状態で引上部材２が小指Ｓｅの先端部側や土踏まず側へ不用意に移動するのを防止し、足裏の爪先から足裏の指の付根部近傍に当接した適切な装着状態を保持できる。位置ズレを防止し、足先Ｓの保温効果を高めることができる。
【００３０】
また、表面１ａの全面に第１面状ファスナー部１０を有し、裏面１ｂの端部に第１面状ファスナー部１０に係止可能な第２面状ファスナー部１１を有し、足首Ｋに巻設される帯状の足首ベルト１を備え、さらに、足先Ｓが収納される先端袋体２５と、第１面状ファスナー部１０に係止可能な第３面状ファスナー部２１を一方端に有すると共に他方端が先端袋体２５に取着された一対の弾性帯状のベルト体２０，２０と、を備えた引上部材２を具備し、引上部材２は、先端袋体２５に足先Ｓを収納させると共に一対のベルト体２０，２０を足の甲の上方位置で交差し、一方の第３面状ファスナー部２１と他方の第３面状ファスナー部２１とを足首ベルト１の第１面状ファスナー部１０に係止させて、足先Ｓを足首Ｋ側へ引き寄せて上方へ向かせるので、足先Ｓの垂れを引き上げて、つまずきや転倒の危険を防止できる。装着状態が嵩張ることがなく靴下や靴を履くことができる。足首ベルト１に引上部材２を所望の位置に係止させ足首角度θや足先の高さ寸法Ｈを自由に調整できる。足首ベルト１は、引上部材２を係止するためであり、従来の捻挫等の治療用足関節サポータのように、強く圧迫させるように足首関節近傍に巻設する必要はなく、装着による違和感を与えず使用者を軽快に歩行させる。足先Ｓが上がり歩幅が広くなって軽快に歩行できる。従来の治療用足関節サポータは足首関節を９０度に保持するものであり、９０度よりもさらに上方を向かせることができなかった。そのため、足先Ｓがつまずく虞れや、足の裏面が水平状となって、昇り階段の角部近傍で突き指する虞れがあった。しかし、本考案のように９０度よりも足先Ｓが上方に向いた状態に調整でき、足の裏面から階段の角部近傍に接近させて、爪先の衝突による突き指等を防止できる。また、足先Ｓが無意識に左右に振れるのや下方へ垂れ下がるのを規制するが、引上部材２が弾性を有しているので、使用者が意識すれば自由に足先を動かすことができる。足先Ｓ全体を包囲して保温効果を得ることができる。
【符号の説明】
【００３１】
１  足首ベルト
１ａ  表面
１ｂ  裏面
２  引上部材
２ｂ  内面
１０  第１面状ファスナー部
１１  第２面状ファスナー部
２０  ベルト体
２１  第３面状ファスナー部
２２  鼻緒
２３  滑止部
２５  先端袋部
Ｋ  足首
Ｓ  足先
Ｓａ  親指
Ｓｅ  小指
【図１】
0003149831.tif 000003
【図２】
0003149831.tif 000004
【図３】
0003149831.tif 000005
【図４】
0003149831.tif 000006
【図５】
0003149831.tif 000007
【図６】
0003149831.tif 000008
【図７】
0003149831.tif 000009
【図８】
0003149831.tif 000010
【図９】
0003149831.tif 000011